(57)【特許請求の範囲】
【請求項１】
処理ユニットと、
前記処理ユニットに接続されたワイヤレス送受信機と、
前記処理ユニットに接続されており、出力信号をオーディオ出力信号に変換するためのレシーバと、を備える補聴装置であって、
前記補聴装置は、前記補聴装置と別の補聴装置との間で、ミラーサービスプロパティに従ってミラーサービスを実行するように構成されており、
前記ミラーサービスは、複数のミラーサービスパケットを、あるパケットフォーマットを用いて、あるパケット伝送速度で伝送することを含み、少なくとも１つの前記ミラーサービスパケットは、第１の補聴装置動作パラメータを含む１つまたは複数の補聴装置動作パラメータを備え、
前記処理ユニットは、
前記第１の補聴装置動作パラメータを取得し、
前記第１の補聴装置動作パラメータに基づく変更基準が満たされているかどうかを判定し、
前記変更基準が満たされている場合に、前記ミラーサービスプロパティを変更するように構成されており、
前記ミラーサービスプロパティは、前記パケットフォーマットを含み、
前記処理ユニットは、前記パケットフォーマットを第１のパケットフォーマットから第２のパケットフォーマットに変更することによって、前記ミラーサービスプロパティを変更するように構成されており、
前記ミラーサービスパケットは、１つまたは複数のフィールドを備えており、前記パケット内の１つのフィールドは、前記パケットのパケットタイプを示すパケットフォーマット識別子を含む、
補聴装置。
【請求項２】
前記ミラーサービスプロパティは、パケット伝送速度を含む、請求項１に記載の補聴装置。
【請求項３】
前記処理ユニットは、前記パケット伝送速度を第１のパケット伝送速度から第２のパケット伝送速度に変更することによって、前記ミラーサービスプロパティを変更するように構成されている、請求項２に記載の補聴装置。
【請求項４】
前記第１のパケット伝送速度は前記第２のパケット伝送速度よりも大きい、請求項３に記載の補聴装置。
【請求項５】
前記第２のパケット伝送速度は前記第１のパケット伝送速度よりも大きい、請求項３に記載の補聴装置。
【請求項６】
前記第１の補聴装置動作パラメータは、ユーザインターフェースアクティベーション、モードシフト、前記補聴装置の処理パラメータ、またはそれらの組合せを示す、請求項１から５のいずれか一項に記載の補聴装置。
【請求項７】
前記補聴装置の前記処理パラメータは、環境識別子、ノイズリダクションパラメータ、コンプレッサパラメータ、信号発生器コントロール、自動電話検出器、またはそれらの組合せを含む、請求項６に記載の補聴装置。
【請求項８】
前記１つまたは複数の補聴装置動作パラメータは、ミラーサービス識別子を含む、請求項１から７のいずれか一項に記載の補聴装置。
【請求項９】
前記第１の補聴装置動作パラメータは、前記補聴装置の処理パラメータを含み、
前記処理ユニットは、前記補聴装置の前記処理パラメータの変化がしきい値よりも大きいかどうかを判定することによって、前記変更基準が満たされているかどうかを判定するように構成されている、請求項１から８のいずれか一項に記載の補聴装置。
【請求項１０】
第１の補聴装置と第２の補聴装置との間でミラーサービスを実行する方法であって、
複数のミラーサービスパケットを、ミラーサービスプロパティに従って、あるパケットフォーマットを用いて、あるパケット伝送速度で伝送することであって、少なくとも１つのミラーサービスパケットは、第１の補聴装置動作パラメータを含む１つまたは複数の補聴装置動作パラメータを備える、前記伝送することと、
前記第１の補聴装置動作パラメータを取得することと、
前記第１の補聴装置動作パラメータに基づく変更基準が満たされているかどうかを判定することと、
前記変更基準が満たされている場合に、前記ミラーサービスプロパティを変更することと、
変更後の前記ミラーサービスプロパティに従って、追加のミラーサービスパケットを伝送することと、を含み、
前記ミラーサービスプロパティは、前記パケットフォーマットを含み、
前記方法は、前記パケットフォーマットを第１のパケットフォーマットから第２のパケットフォーマットに変更することによって、前記ミラーサービスプロパティを変更することを含み、
前記ミラーサービスパケットは、１つまたは複数のフィールドを備えており、前記パケット内の１つのフィールドは、前記パケットのパケットタイプを示すパケットフォーマット識別子を含む、
方法。
【請求項１１】
前記ミラーサービスプロパティを変更することは、パケット伝送速度を変更することを含む、請求項１０に記載の方法。
【請求項１２】
第１及び第２の補聴装置を備える両耳補聴装置システムであって、
前記第１及び／又は第２の補聴装置は、請求項１から９のいずれか一項に記載の補聴装置である、両耳補聴装置システム。
【発明の詳細な説明】
【技術分野】
【０００１】
本開示は、別の補聴装置とのワイヤレス通信ができるように構成された補聴装置に関する。特に、補聴装置は、補聴装置と別の補聴装置との間でミラーサービスを実行するように構成される。補聴装置は、処理ユニットと、処理ユニットに接続されたワイヤレス送受信機と、処理ユニットに接続されており、出力信号をオーディオ出力信号に変換するためのレシーバと、を備える。
【背景技術】
【０００２】
両耳補聴装置間のワイヤレス通信は、ワイヤレス技術の発展、およびますます進化する補聴装置を求めるユーザの需要に伴って増加している。小型の補聴器が求められていること、および補聴装置バッテリのバッテリ容量が限られていることを考えると、補聴装置の電力資源は限られている。
【０００３】
ワイヤレス通信は、補聴装置バッテリの容量に比べて多くの電力を必要とする。
【発明の概要】
【発明が解決しようとする課題】
【０００４】
したがって、補聴装置における電力効率の良い伝送方式が必要とされている。特に、ワイヤレス接続された両耳補聴装置間の、信頼性が高く電力効率の良い通信が必要とされている。
【課題を解決するための手段】
【０００５】
処理ユニットと、処理ユニットに接続されたワイヤレス送受信機と、処理ユニットに接続されており、出力信号をオーディオ出力信号に変換するためのレシーバとを備える補聴装置が開示される。補聴装置は、補聴装置と別の補聴装置との間で、ミラーサービスプロパティに従ってミラーサービスを実行するように構成される。ミラーサービスは、ミラーサービスパケットを、ミラーサービスプロパティに従って、例えばあるパケットフォーマットを用いて、あるパケット伝送速度で送信および／または受信することを含む。ミラーサービスパケットは、例えば第１の補聴装置動作パラメータを含む、１つまたは複数の補聴装置動作パラメータを備える。処理ユニットは、第１の補聴装置動作パラメータおよび／または第２の補聴装置動作パラメータなどの、補聴装置動作パラメータを取得するように構成される。処理ユニットは、変更基準が満たされているかどうかを判定するように構成してもよい。変更基準は、第１の補聴装置動作パラメータおよび／または第２の補聴装置動作パラメータのような、１つまたは複数の補聴装置動作パラメータに基づいていてもよい。処理ユニットは、例えば変更基準が満たされている場合に、ミラーサービスプロパティを変更する、または適応させるように構成される。ミラーサービスプロパティは、パケット伝送速度および／またはパケットフォーマットを含んでもよい。
【０００６】
第１の補聴装置と第２の補聴装置との間でミラーサービスを実行する方法も開示される。方法は、例えば第１の補聴装置動作パラメータを含む、１つまたは複数の補聴装置動作パラメータを備えるミラーサービスパケットを、ミラーサービスプロパティに従って、例えばあるパケットフォーマットを用いて、あるパケット伝送速度で送信および／または受信すること、ならびに第１の補聴装置動作パラメータを取得することを含む。方法は、任意選択で、例えば、第１の補聴装置動作パラメータおよび／または第２の補聴装置動作パラメータのような、１つまたは複数の補聴装置動作パラメータに基づく変更基準が満たされているかどうかを判定すること、ならびに例えば変更基準が満たされている場合に、ミラーサービスプロパティを変更することを含んでもよい。ミラーサービスプロパティは、パケット伝送速度および／またはパケットフォーマットを含むことができる。方法は、任意選択で、変更後のミラーサービスプロパティに従って、ミラーサービスパケットを送信および／または受信することを含む。
【０００７】
さらに、両耳補聴装置システムが開示される。両耳補聴装置システムは、第１および第２の補聴装置を備え、第１および／または第２の補聴装置は、本開示において提示される補聴装置である。
【０００８】
本明細書に開示される適応型ミラーサービスプロパティを用いる補聴装置は、補聴装置間の電力効率の良い通信、および補聴装置における限られた電力の使用の最適化、または少なくとも改善を可能にする。同時に、例えば、２つの補聴装置間のミラーサービス接続を解除しないように、十分な信号品質を維持することができる。したがって、開示される補聴装置は、両耳補聴装置システム内の２つの補聴装置間の接続を喪失するリスクを低下させる。
【０００９】
補聴装置が、処理ユニットと、処理ユニットに接続されたワイヤレス送受信機と、処理ユニットに接続されており、出力信号をオーディオ出力信号に変換するためのレシーバとを含み、補聴装置は、補聴装置と別の補聴装置との間で、ミラーサービスプロパティに従ってミラーサービスを実行するように構成され、ミラーサービスは、複数のミラーサービスパケットを、あるパケットフォーマットを用いて、あるパケット伝送速度で伝送することを含み、少なくとも１つのミラーサービスパケットは、第１の補聴装置動作パラメータを含む、１つまたは複数の補聴装置動作パラメータを含み、処理ユニットは、第１の補聴装置動作パラメータを取得し、第１の補聴装置動作パラメータに基づく変更基準が満たされているかどうかを判定し、変更基準が満たされている場合に、ミラーサービスプロパティを変更するように構成される。
【００１０】
任意選択で、ミラーサービスプロパティが、パケット伝送速度および／またはパケットフォーマットを含む。
【００１１】
任意選択で、処理ユニットが、パケット伝送速度を第１のパケット伝送速度から第２のパケット伝送速度に変更することによって、ミラーサービスプロパティを変更するように構成される。
【００１２】
任意選択で、第１のパケット伝送速度が第２のパケット伝送速度よりも大きい。
【００１３】
任意選択で、第２のパケット伝送速度が第１のパケット伝送速度よりも大きい。
【００１４】
任意選択で、処理ユニットが、パケットフォーマットを第１のパケットフォーマットから第２のパケットフォーマットに変更することによって、ミラーサービスプロパティを変更するように構成される。
【００１５】
任意選択で、第１の補聴装置動作パラメータが、ユーザインターフェースアクティベーション、モードシフト、補聴装置の処理パラメータ、またはそれらの任意の組合せを示す。
【００１６】
任意選択で、補聴装置の処理パラメータが、環境識別子、ノイズリダクションパラメータ、コンプレッサパラメータ、信号発生器コントロール、自動電話検出器、またはそれらの任意の組合せを含む。
【００１７】
任意選択で、１つまたは複数の補聴装置動作パラメータが、ミラーサービス識別子を含む。
【００１８】
任意選択で、第１の補聴装置動作パラメータが、補聴装置の処理パラメータを含み、処理ユニットが、補聴装置の処理パラメータの変化がしきい値よりも大きいかどうかを判定することによって、変更基準が満たされているかどうかを判定するように構成される。
【００１９】
第１の補聴装置と第２の補聴装置との間でミラーサービスを実行する方法が、複数のミラーサービスパケットを、あるミラーサービスプロパティに従って、あるパケットフォーマットを用いて、あるパケット伝送速度で伝送することであって、少なくとも１つのミラーサービスパケットは、第１の補聴装置動作パラメータを含む１つまたは複数の補聴装置動作パラメータを備える、上記の伝送することと、第１の補聴装置動作パラメータを取得することと、第１の補聴装置動作パラメータに基づく変更基準が満たされているかどうかを判定することと、変更基準が満たされている場合に、ミラーサービスプロパティを変更することと、変更後のミラーサービスプロパティに従って、追加のミラーサービスパケットを伝送することと、を含む。
【００２０】
任意選択で、ミラーサービスプロパティを変更することは、パケット伝送速度および／またはパケットフォーマットを変更することを含む。
【００２１】
両耳補聴装置システムが、補聴装置と追加の補聴装置とを含む。
【００２２】
他の特徴、実施形態、および利点は、以下に詳細な説明の中で説明する。
【００２３】
上記および他の特徴および利点は、その例示的な実施形態を、添付の図面を参照して以下に詳細に説明することによって、当業者に容易に明らかとなるであろう。
【図面の簡単な説明】
【００２４】
【図１】例示的な補聴装置を概略的に示す。
【図２】ある補聴装置と別の補聴装置との間の例示的なミラーサービスを概略的に示す。
【図３】例示的なミラーサービスパケットを概略的に示す。
【図４】２つの補聴装置間でミラーサービスを実行する方法の例示的なフローチャートを概略的に示す。
【発明を実施するための形態】
【００２５】
さまざまな実施形態について、図面を参照して以下に説明する。同じ参照符号は、全体を通じて同じ要素を指す。したがって、各図の説明に関して、同様の要素については詳細に説明しない。図面は実施形態の説明を容易にすることを意図したものにすぎないことにも留意されたい。実施形態は、特許請求の範囲に記載された発明の網羅的な説明、または、特許請求の範囲に記載された発明の範囲を制限することを意図しているものではない。さらに、図示の実施形態は、全ての態様または利点が示されている必要があるものではない。特定の実施形態に関連して説明する態様または利点は、必ずしもその実施形態に限定されるとは限らず、図示されていなくても、または明示的に説明されていなくても、他の任意の実施形態において実践することが可能である。
【００２６】
全体を通じて、同一の部分または対応する部分に、同じ参照符号が使用される。
【００２７】
補聴装置は、補聴装置と別の補聴装置との間でミラーサービスを実行するように構成される。ミラーサービスは、両耳補聴システムの第１の補聴装置と第２の補聴装置との間のワイヤレス伝送における、伝送チャネルまたは通信チャネルである。ミラーサービスは、２つの補聴装置間で、ミラーサービスパケットを、あるパケットフォーマットを用いて、あるパケット伝送速度で伝送することを含む。ミラーサービスパケットは、例えば、ミラーサービスパケットを送信する補聴装置の第１の補聴装置動作パラメータおよび／または第２の補聴装置動作パラメータを含む、１つまたは複数の補聴装置動作パラメータを含む。ミラーサービス機能を用いて、第１の補聴装置が、第２の補聴装置の動作パラメータについて通知され、逆も同様である。それにより、２つの補聴装置がそれぞれ、他方の補聴装置の動作パラメータに関して更新され、その動作パラメータに適応することができる。ミラーサービスは、両耳間データサービスを含んでもよい。
【００２８】
補聴装置は、補聴器であってもよく、例えば、その処理ユニットが、ユーザの聴力損失の聴力損失補償をするように構成されていてもよい。
【００２９】
処理ユニットは、変更基準が満たされているかどうかを判定するように構成されていてもよい。変更基準は、第１の下位基準および／または第２の下位基準のような、１つまたは複数の下位基準を含んでいてもよい。１つまたは複数の下位基準が満たされている場合に、変更基準が満たされ得る。例えば、第１の下位基準を満たすことは、パケット伝送速度の低下が起こり得ることを示すものであってもよい。例えば、第２の下位基準を満たすことは、例えば信号品質の低下により、パケット伝送速度の上昇が望まれることを示すものであってもよい。処理ユニットは、補聴装置の現在のモードに応じて、かつ／または現在のミラーサービスプロパティに応じて、変更基準の異なる下位基準を適用するように構成されていてもよい。
【００３０】
変更基準が満たされるときに、ミラーサービスプロパティが変更される。１つまたは複数の動作パラメータに変化があるときに、ミラーサービスプロパティが変化してもよく、すなわち、１つまたは複数の動作パラメータの変化が判定／検出された場合に、変更基準が満たされ得る。変更基準またはその下位基準は、環境および／または補聴装置の設定および／または補聴装置のモードに基づいていてもよい。２つの補聴装置間の補聴装置動作パラメータ（例えばデータ）が安定している状態から変化するとき、またはデータに変化がない、もしくはわずかな変化しかないとき、またはデータが安定していないこととデータが同じであるとき、またはデータに変化があるときに、変更基準が満たされ得る。インターフェースがアクティブ化された場合、かつ／またはモードシフトが生じた場合に、変更基準が満たされ得る。
【００３１】
補聴装置間の通信のためのミラーサービスおよびミラーサービスプロパティを最適化することによって、電力を節減することができる。ミラーサービスを実行する頻度を低下させることにより、多くの補聴装置バッテリの電力またはエネルギーを節減し得る。補聴装置間で実行されるミラーサービスのデータサイズを縮小することにより、やはりバッテリの電力またはエネルギーをいくらか節減し得る。それと同時に、パケット伝送速度を上昇させると、ミラーサービスの望ましくない再確立を必要とするミラーサービス接続の喪失が起きないことを確実にし得る。
【００３２】
本補聴装置と他の補聴装置は、例えば、オーディオストリーミングが実行される前に、かつ／または補聴装置間のデータの伝送が実行される前に、かつ／または２つの補聴装置間のミラーサービスが実行される前に、本補聴装置の識別情報（即ちＩＤ）を他の補聴装置の識別情報（即ちＩＤ）とペアリングすることによって、ペアリングされていてよい。
【００３３】
処理ユニットは、パケット伝送速度を第１のパケット伝送速度から第２のパケット伝送速度に変更することによって、ミラーサービスプロパティを変更するように構成されていてもよい。
【００３４】
第１のパケット伝送速度は、第２のパケット伝送速度よりも大きくてもよく、例えば、（第１のパケット伝送速度を用いる）第１のモードが、ミラーサービスのアクティブモードまたはノーマルモードであり、（第２のパケット伝送速度を用いる）第２のモードが、ミラーサービスのアイドルモード、または非アクティブモードもしくはスリープモードであることに対応する。処理ユニットは、変更基準を満たすことなく（例えば１つまたは複数の補聴装置動作パラメータにどんな変化もないまま）、デフォルト期間が経過したときに、パケット伝送速度を第１のパケット伝送速度から第２のパケット伝送速度に、かつ／またはその逆に、変更するように構成されていてもよい。その代わりに、またはそれと組み合わせて、変更基準の下位基準が、１つまたは複数の補聴装置動作パラメータに変化がないままデフォルト時間が経過したかどうかを判定することを含んでもよい。それにより、非アクティブモードへの自動切替えが行われる。
【００３５】
第１のパケット伝送速度は、例えば１０パケット／ｓから１５パケット／ｓの間のように、５パケット／ｓから２０パケット／ｓの範囲であってもよい。例示的な第１のパケット伝送速度は、（連続するミラーサービスパケット間の期間が８０ｍｓの場合に相当する）約１２．５パケット／ｓ、または（連続するミラーサービスパケット間の期間が７４ｍｓの場合に相当する）約１３．５パケット／ｓであってもよい。第１のパケット伝送速度は、ミラーサービス伝送のノーマルモードやアクティブモードのような第１のモードに対応していてもよい。
【００３６】
第２のパケット伝送速度は、例えば０．３パケット／ｓから２パケット／ｓの間のように、０．１パケット／ｓから４パケット／ｓの範囲であってもよい。例示的な第２のパケット伝送速度は、（連続するミラーサービスパケット間の期間が２ｓの場合に相当する）約０．５パケット／ｓ、または（連続するミラーサービスパケット間の期間が１ｓの場合に相当する）約１パケット／ｓとすることができる。第２のパケット伝送速度は、ミラーサービスのアイドルモード、または非アクティブモードもしくはスリープモードのような第２のモードに対応していてもよい。第２のパケット伝送速度は、データがたいして変化しないときにミラーサービス伝送がデータをそれほど頻繁に送信しないように、伝送されるパケットのパケットフォーマットまたはコンテンツに変化がない、または稀な変化しかないときに使用されてもよい。
【００３７】
第２のパケット伝送速度は、第１のパケット伝送速度より大きくてもよい。このことは、ミラーサービスのモードを、非アクティブ／アイドル／スリープモードである第１のモードから、アクティブ／ノーマルモードである第２のモードに変更することに対応していてもよい。そのような場合、または一般に、第１のパケット伝送速度は、例えば、０．３パケット／ｓから２パケット／ｓの間のように、０．１パケット／ｓから４パケット／ｓの範囲であってもよい。例示的な第１のパケット伝送速度は、（連続するミラーサービスパケット間の期間が２ｓの場合に相当する）約０．５パケット／ｓ、または（連続するミラーサービスパケット間の期間が１ｓの場合に相当する）約１パケット／ｓであってもよい。第１のパケット伝送速度は、ミラーサービスのアイドルモード、または非アクティブモードもしくはスリープモードのような第１のモードに対応していてもよい。第１のパケット伝送速度は、データがたいして変化しないときにミラーサービス伝送がデータをそれほど頻繁に送信しないように、伝送されるパケットのパケットフォーマットまたはコンテンツに変化がない、または稀な変化しかないときに使用されてもよい。そのような場合、または一般に、第２のパケット伝送速度は、例えば、１０パケット／ｓから１５パケット／ｓの間のように、５パケット／ｓから２０パケット／ｓの範囲であってもよい。例示的な第２のパケット伝送速度は、（連続するミラーサービスパケット間の期間が８０ｍｓの場合に相当する）約１２．５パケット／ｓ、または（連続するミラーサービスパケット間の期間が７４ｍｓの場合に相当する）約１３．５パケット／ｓであってもよい。第２のパケット伝送速度は、ミラーサービス伝送のノーマルモードやアクティブモードなどの第２のモードに対応していてもよい。
【００３８】
第１の補聴装置動作パラメータは、ユーザインターフェースアクティベーション、モードシフト、および／または補聴装置の処理パラメータのうちの１つまたは複数を示していてもよい。第１の補聴装置動作パラメータは、他の補聴装置がミラーサービス接続を維持できるようにするための、補聴装置識別子または他の識別子を示していてもよい。第２および／または第３の補聴装置動作パラメータは、ユーザインターフェースアクティベーション、モードシフト、および／または補聴装置の処理パラメータのうちの１つまたは複数を示していてもよい。ユーザインターフェースアクティベーションは、ユーザが補聴装置上にあるボタンを押すこと、ユーザが補聴装置上にあるボリュームコントロールを変更すること、ユーザが補聴装置のモードを能動的もしくは物理的に変更すること、またはユーザが補聴装置上にあるユーザ制御される任意のものを変更することを含んでもよい。補聴装置のモードシフトは、例えばユーザがノイズの多い環境から静かな環境に移動したときに、補聴装置が補聴装置モードを自動的に変更することを含んでもよい。補聴装置のモードシフトは、例えばユーザがあるタイプの環境から別のタイプの環境に移動したときに、ユーザがモードを変更することを含んでもよい。処理パラメータは、アルゴリズムパラメータ、自動モードシフトなどを含んでもよい。
【００３９】
補聴装置の処理パラメータは、環境識別子、ノイズリダクションパラメータ、コンプレッサパラメータ、信号発生器コントロール、および／または自動電話検出器のうちの１つまたは複数を含んでいてもよい。環境識別子は、補聴装置の環境識別器からの出力であってもよい。ノイズリダクションパラメータは、ファインチューニング、フィルタ係数などを含んでいてもよい。コンプレッサパラメータは、補聴装置のユーザの特定の聴力補償のために選択されるゲインのようなゲインを示していてもよい。信号発生器コントロールは、耳鳴り緩和のための耳鳴音発生（ＴＳＧ）を含んでもよい。信号発生器は、ノイズおよび／またはフィードバック除去、閉塞感除去などを含んでもよい。
【００４０】
１つまたは複数の補聴装置動作パラメータは、例えばミラーサービスパケットの一部として、かつ／または送受信機で受信されるオーディオストリームのオーディオパケット内に、ミラーサービス識別子またはインジケータを含んでいてもよい。オーディオストリームは、両耳間（Ｅ２Ｅ）オーディオストリームであってもよく、したがって、オーディオデータに加えて、ミラーサービスインジケータまたはフラグが、両耳間オーディオストリーム内に存在してもよい。ミラーサービスインジケータまたはフラグは、１ビットのデータであってもよい。したがって、ミラーサービスは、それぞれの補聴装置がどのミラーモードを使用すべきかを示すために、このチャネルを利用してもよい。
【００４１】
オーディオストリームは、例えば、スマートフォン、モバイルフォン、コンピュータ、タブレットのようなアクセサリ装置を経由する、２つの補聴装置間の伝送であってもよい。オーディオストリームは、２つの補聴装置間、すなわち両耳補聴装置で、または一方もしくは両方の補聴装置とスマートフォンなどのアクセサリ装置との間で、２．４ギガヘルツのＢｌｕｅｔｏｏｔｈ（登録商標）接続によってワイヤレスで伝送されてもよい。補聴装置は、Ｂｌｕｅｔｏｏｔｈ接続経由で直接ストリーミングしてもよく、首装着型やポケット装着型のストリーミング装置などの二次的なストリーミング装置を通じてストリーミングしてもよく、それにより、次いでこのブルートゥース対応の二次的なストリーミング装置が、補聴装置にワイヤレスでストリーミングするようにしてもよい。そして、このストリーミングは、短距離にわたってのみ機能するように制限されていてもよい。
【００４２】
ミラーサービスプロパティを変更することは、パケットフォーマットを、第１のパケットフォーマットから、例えば第１のパケットフォーマットとは異なる第２のパケットフォーマットに変更することを含んでもよい。パケットフォーマットは、そのサイズおよび／または構成によって、決定または規定されてもよい。パケットフォーマットは、パケットのサイズおよび／またはコンテンツを含んでもよい。パケットは、第１のフィールドおよび／または第２のフィールドを含む、１つまたは複数のフィールドまたはセグメントを備えていてもよい。パケットフォーマットは、サイズ識別子および／またはパケットフォーマット識別子を含んでもよい。例えば、パケット内の第１のフィールドは、ヘッダを含んでもよく、そのヘッダは識別子、例えば当該補聴装置および／または他の補聴装置の識別子を含んでもよい。ヘッダは、タイムスタンプおよび／またはパケットサイズを含んでもよい。パケットの第２のフィールドは、例えばパケットのパケットタイプおよび／もしくはコンテンツを示すパケットフォーマット識別子、ならびに／またはサイズ識別子を含んでもよい。パケットの第３のフィールドは、１つまたは複数の補聴装置動作パラメータのタイムスタンプおよび／またはデータを含んでもよい。パケットフォーマットを動的に変更することは、パケットの調整または選択を容易にし、そのため補聴装置間で冗長な情報が送信されないようになり、ひいては、伝送されるデータの量が縮小し、それによって、電力消費が最適化する。
【００４３】
第１の補聴装置動作パラメータは、コンプレッサゲインのような、補聴装置の処理パラメータであってもよく、変更基準が満たされているかどうかを判定することは、補聴装置の処理パラメータの変化が変更しきい値よりも大きいかどうかを判定することを含んでもよい。したがって、１つまたは複数の処理パラメータが大幅に変化した場合に、変更基準またはその下位基準が満たされ得る。
【００４４】
第１の補聴装置動作パラメータは、押しボタンのアクティブ化などのユーザインターフェースアクティベーションを示すパラメータであってもよく、変更基準が満たされているかどうかを判定することは、ユーザインターフェースがアクティブ化されたかどうかを判定することを含んでもよい。すなわち、ユーザインターフェースがアクティブ化された場合に、変更基準が満たされ得る。
【００４５】
第２の補聴装置動作パラメータは、補聴装置におけるモードシフトを示すパラメータであってもよく、変更基準が満たされているかどうかを判定することは、補聴装置においてモードシフトが行われたかどうかを判定することを含んでもよい。すなわち、モードシフトが生じた場合に、変更基準が満たされる。
【００４６】
図１は、本明細書に開示する動的ミラーサービスを行う補聴装置２の一例を概略的に示す。補聴装置２は、処理ユニット４と、処理ユニット４に接続されているワイヤレス送受信機６と、処理ユニット４に接続されており、出力信号をオーディオ出力信号に変換するためのレシーバ８とを備える。ワイヤレス送受信機６は、ユーザインターフェースの一部であってもよく、任意選択で、補聴装置は、押しボタンまたはボリュームコントロール９を備え、ユーザが補聴装置２の動作を制御できるようになっている。補聴装置２は、補聴装置２と別の補聴装置１４との間で、ミラーサービスプロパティに従ってミラーサービス１０を実行するように構成される。補聴装置２は、任意選択で、信号発生器１１および／または環境識別器１２を備える。信号発生器１１および／または環境識別器１２は、処理ユニット４の一部を形成していてもよい。補聴装置２および他の補聴装置１４はそれぞれ、両耳補聴装置システム内の第１および第２の補聴装置であってもよい。ミラーサービス１０は、ミラーサービスパケットを、それぞれのパケットフォーマットを用いて、あるパケット伝送速度で伝送することを含む。処理ユニット４は、例えば、ユーザインターフェースアクティベーション、モードシフト、環境条件、および／または補聴装置の処理パラメータのうちの１つまたは複数を示す、少なくとも第１の補聴装置動作パラメータを取得するように構成される。処理ユニット４は、第１の補聴装置動作パラメータ、および／または第２の補聴装置動作パラメータのような更なる補聴装置動作パラメータに基づいて、変更基準が満たされているかどうかを判定するように構成される。処理ユニットは、変更基準が満たされている場合に、パケットフォーマットを第１のパケットフォーマットから第２のパケットフォーマットに変更すること、かつ／またはパケット伝送速度を、例えば０．４パケット／ｓから１．１パケット／ｓの範囲である第１のパケット伝送速度から、例えば１２．５パケット／ｓまたは約１３．５パケット／ｓの範囲である第２のパケット伝送速度に変更することによって、ミラーサービスプロパティを変更するように構成される。
【００４７】
図２は、補聴装置２と別の補聴装置１４との間のミラーサービス１０の一例を概略的に示す。補聴装置２は、ミラーサービスの第１のモードにおいて、ミラーサービスパケット１８を第１のパケット伝送速度で他の（第２の）補聴装置１４に送信する（参照符号１６）。次いで、処理ユニットは、例えば、ユーザが補聴装置２においてユーザインターフェース９をアクティブ化することによって、補聴装置動作モードが（自動的に、もしくはユーザによって起動されて）変更されたことによって、および／または環境の変化（それにより、伝送条件を変更すること）によって、変更基準が満たされていることを判定する。処理ユニット４は、パケット伝送速度を、第１のパケット伝送速度から、第１のパケット伝送速度とは異なる（例えばミラーサービスがスリープモードからアクティブモードに移行しなければならない場合および／または伝送条件が悪化した場合には、第１のパケット伝送速度よりも大きい）、第２のパケット伝送速度に変更することによって、ミラーサービスプロパティを変更する。処理ユニット４は、第１のパケット伝送速度から、例えば変更基準の評価によりミラーサービスがアクティブモードからスリープモードに移行できることが示される場合、および／または伝送条件が改善した場合には、第１のパケット伝送速度よりも小さい第２のパケット伝送速度に変更する。任意選択で、補聴装置２および他の補聴装置１４は、オーディオストリーム２０を、別のオーディオチャネル経由でやり取りする。
【００４８】
図３は、第１のパケットフォーマットを有するミラーサービスパケット１８の一例、および第２のミラーサービスパケットフォーマットを有するミラーサービスパケット１８’の一例を概略的に示す。ミラーサービスパケット１８は、パケット１８を送信する補聴装置を示す補聴装置識別子を含むヘッダフィールドである、第１のフィールド２２を有する。パケット１８の第２のフィールド２４は、パケットのパケットタイプおよびコンテンツを示すパケットフォーマット識別子を含む。さらに、パケット１８の第３のフィールド２６は、他の補聴装置１４にミラーリングすべき１つまたは複数の補聴装置動作パラメータのデータを含む。例えば、ミラーサービスは、複数の異なる、予め定義されたパケットタイプを使用するように構成されていてもよい。例えば、図３に示すような第１のパケットフォーマットは、補聴装置２の動作モードの変更のミラーリングに使用されてもよい。したがって、第２のフィールド２４内のパケットフォーマット識別子が、モードシフトのミラーリングを示す値（例えば１）に設定され、第３のフィールド２６が、補聴装置の実際の動作モード、例えば第１のモード（第３のフィールド＝１）、第２のモード（第３のフィールド＝２）などを示す。ミラーサービスパケット１８’は、第１のパケットフォーマットとはサイズおよび／またはフィールド構成が異なる、第２のパケットフォーマットを有する。ミラーサービスパケット１８’は、パケット１８’を送信する補聴装置を示す補聴装置識別子を含むヘッダフィールドである、第１のフィールド２２と、第２のフィールド２４と、第３のフィールド２６と、第４のフィールド２８とを有する。パケット１８’の第２のフィールド２４は、パケットのパケットタイプおよびコンテンツを示すパケットフォーマット識別子を含む。さらに、パケット１８’の第３のフィールド２６および第４のフィールド２８は、他の補聴装置１４にミラーリングすべき１つまたは複数の補聴装置動作パラメータのデータを含む。例えば、図３に示すような第２のパケットフォーマットは、補聴装置２のボリュームの変更のミラーリングに使用されてもよい。したがって、ミラーサービスパケット１８’の第２のフィールド２４内のパケットフォーマット識別子を、ユーザインターフェースアクティベーションを示す値（例えば２）に設定されてもよく、第３のフィールド２６が、ユーザがボリュームを調整したことを示す。さらに、第４のフィールド２８が、補聴装置動作パラメータに関するデータ、すなわち、ユーザインターフェースアクティベーションの結果として補聴装置に適用される、実際のボリュームゲインを含む。
【００４９】
図４は、第１の補聴装置と第２の補聴装置との間でミラーサービスを実行する方法のフローチャートの一例を概略的に示す。方法４００は、ミラーサービスパケットを、ミラーサービスプロパティ（第１のミラーサービスプロパティ）に従って、あるパケットフォーマットを用いて、あるパケット伝送速度で伝送すること４０１を含む。ミラーサービスパケットは、第１の補聴装置動作パラメータを含む、１つまたは複数の補聴装置動作パラメータを備える。方法４００は、本明細書に開示する補聴装置を用いて実行することができ、第１の補聴装置動作パラメータを、例えば処理ユニット４で取得すること４０２を含む。次いで、方法４００は、変更基準が満たされているかどうかを判定すること４０３に進む。変更基準は、少なくとも、第１の補聴装置動作パラメータに基づいている。変更基準が満たされている場合、方法は、パケット伝送速度および／またはパケットフォーマットなどのミラーサービスプロパティを変更すること４０４に進み、その後、変更後のミラーサービスプロパティ（第２のミラーサービスプロパティ）に従って、ミラーサービスパケットを伝送すること４０５に進む。ステップ４０３において変更基準が満たされていない場合、ステップ４０１の元のままのミラーサービスプロパティに従って、ミラーサービスパケットが伝送される。
【００５０】
以下の項目のいずれかによる補聴装置および方法も開示される。
【００５１】
［項目１］
処理ユニットと、
処理ユニットに接続されたワイヤレス送受信機と、
処理ユニットに接続されており、出力信号をオーディオ出力信号に変換するためのレシーバと、を備える補聴装置であって、
補聴装置は、補聴装置と別の補聴装置との間で、１つまたは複数のミラーサービスプロパティに従ってミラーサービスを実行するように構成されており、
ミラーサービスは、複数のミラーサービスパケットを、あるパケットフォーマットを用いて、あるパケット伝送速度で伝送することを含み、少なくとも１つのミラーサービスパケットは、第１の補聴装置動作パラメータを含む１つまたは複数の補聴装置動作パラメータを備え、
処理ユニットは、
第１の補聴装置動作パラメータを取得し、
第１の補聴装置動作パラメータに基づく変更基準が満たされているかどうかを判定し、
変更基準が満たされている場合に、ミラーサービスプロパティを変更する、ように構成されている、補聴装置。
【００５２】
［項目２］
ミラーサービスプロパティは、パケット伝送速度および／またはパケットフォーマットを含む、項目１に記載の補聴装置。
【００５３】
［項目３］
処理ユニットは、パケット伝送速度を第１のパケット伝送速度から第２のパケット伝送速度に変更することによって、ミラーサービスプロパティを変更するように構成されている、項目２に記載の補聴装置。
【００５４】
［項目４］
第１のパケット伝送速度が第２のパケット伝送速度よりも大きい、項目３に記載の補聴装置。
【００５５】
［項目５］
第２のパケット伝送速度が第１のパケット伝送速度よりも大きい、項目３に記載の補聴装置。
【００５６】
［項目６］
第１の補聴装置動作パラメータは、ユーザインターフェースアクティベーション、モードシフト、および／または補聴装置の処理パラメータのうちの１つまたは複数を示す、項目１から５のいずれか一項に記載の補聴装置。
【００５７】
［項目７］
補聴装置の処理パラメータは、
環境識別子、
ノイズリダクションパラメータ、
コンプレッサパラメータ、
信号発生器コントロール、および
自動電話検出器
のうちの１つまたは複数を含む、項目６に記載の補聴装置。
【００５８】
［項目８］
１つまたは複数の補聴装置動作パラメータは、ミラーサービス識別子を含む、項目１から７のいずれか一項に記載の補聴装置。
【００５９】
［項目９］
処理ユニットは、パケットフォーマットを第１のパケットフォーマットから第２のパケットフォーマットに変更することによって、ミラーサービスプロパティを変更するように構成されている、項目１から８のうち、項目２に従属するいずれか一項に記載の補聴装置。
【００６０】
［項目１０］
第１の補聴装置動作パラメータは、補聴装置の処理パラメータを含み、処理ユニットは、補聴装置の処理パラメータの変化が変更しきい値よりも大きいかどうかを判定することによって、変更基準が満たされているかどうかを判定するように構成されている、項目１から９のいずれか一項に記載の補聴装置。
【００６１】
［項目１１］
第１の補聴装置と第２の補聴装置との間でミラーサービスを実行する方法であって、
複数のミラーサービスパケットを、１つまたは複数のミラーサービスプロパティに従って、あるパケットフォーマットを用いて、あるパケット伝送速度で伝送することであって、少なくとも１つのミラーサービスパケットは、第１の補聴装置動作パラメータを含む１つまたは複数の補聴装置動作パラメータを備える、上記の伝送することと、
第１の補聴装置動作パラメータを取得することと、
第１の補聴装置動作パラメータに基づく変更基準が満たされているかどうかを判定することと、
変更基準が満たされている場合に、ミラーサービスプロパティを変更することと、
変更後のミラーサービスプロパティに従って、ミラーサービスパケットを伝送することと、を含む方法。
【００６２】
［項目１２］
ミラーサービスプロパティを変更することは、パケット伝送速度および／またはパケットフォーマットを変更することを含む、項目１１に記載の方法。
【００６３】
［項目１３］
第１および第２の補聴装置を備える両耳補聴装置システムであって、第１および／または第２の補聴装置が、項目１から１０のいずれか一項に記載の補聴装置である、両耳補聴装置システム。
【００６４】
以上、特定の特徴について示し、説明してきたが、その特徴は、特許請求の範囲に記載された発明を限定するものではないことが理解され、また、特許請求の範囲に記載の本発明の趣旨および範囲から逸脱することなく、さまざまな変更および修正を行えることが、当業者にとって自明であり得る。したがって、明細書および図面は、限定的な意味ではなく例示的な意味として見なされるべきである。特許請求の範囲に記載された発明は、あらゆる代替形態、修正形態、および均等形態を網羅するものである。
【符号の説明】
【００６５】
２：補聴装置
４：処理ユニット
６：ワイヤレス送受信機
８：レシーバ
９：インターフェース
１０：ミラーサービス
１４：他の補聴装置
１６：ミラーサービスパケットの伝送
１８：第１のパケットフォーマットを有するミラーサービスパケット
１８：第２のパケットフォーマットを有するミラーサービスパケット
２０：オーディオストリーム
２２：第１のフィールド
２４：第２のフィールド
２６：第３のフィールド
２８：第４のフィールド
４００：ミラーサービスを実行する方法
４０１：ミラーサービスパケットの伝送
４０２：第１の補聴装置動作パラメータの取得
４０３：変更基準が満たされているかどうかの判定
４０４：ミラーサービスプロパティの変更
４０５：ミラーサービスパケットの伝送
【図１】
0006517135.tif 000002
【図２】
0006517135.tif 000003
【図３】
0006517135.tif 000004
【図４】
0006517135.tif 000005